【手続補正書】
【提出日】平成25年12月10日(2013.12.10)
【手続補正１】
【補正対象書類名】明細書
【補正対象項目名】発明の名称
【補正方法】変更
【補正の内容】
【発明の名称】画像配信サーバー、画像配信システム、画像配信方法並びにプログラム
【手続補正２】
【補正対象書類名】明細書
【補正対象項目名】０００８
【補正方法】変更
【補正の内容】
【０００８】
請求項１記載の発明は、ネットワークを介して第１の画像表示装置及び第２の画像表示装置と接続される画像配信システムにおける画像配信サーバーにおいて、前記第１の画像表示装置から受信した複数の画像を保存する第１の記憶エリアと、前記第１の記憶エリアに保存されている画像を画像処理する画像処理手段と、前記画像処理手段により画像処理された画像を複数記憶する第２の記憶エリアと、前記第２の記憶エリアに記憶された画像処理された画像の中から所定の条件を満たす画像を抽出する抽出手段と、前記抽出手段により抽出された画像処理された画像を該サーバー内の抽出エリアに転送する第１の転送手段と、前記第抽出エリアに転送された画像処理された画像を、所定のタイミングで前記第２の画像表示装置に送信するとともに、該サーバー内の送信エリアに転送する第２の転送手段と、を具備することを特徴とする画像配信サーバーを提供するものである。
【手続補正３】
【補正対象書類名】明細書
【補正対象項目名】０００９
【補正方法】変更
【補正の内容】
【０００９】
請求項２記載の発明は、前記送信エリアには、前記第２の画像表示装置に送信した画像が蓄積されていくことを特徴とする請求項１記載の画像配信サーバーを提供するものである。
【手続補正４】
【補正対象書類名】明細書
【補正対象項目名】００１０
【補正方法】変更
【補正の内容】
【００１０】
請求項３記載の発明は、前記所定のタイミングは、１日１回であることを特徴とする請求項１記載の画像配信サーバーを提供するものである。
【手続補正５】
【補正対象書類名】明細書
【補正対象項目名】００１１
【補正方法】変更
【補正の内容】
【００１１】
請求項４記載の発明は、ネットワークを介して第１の画像表示装置及び第２の画像表示装置と接続される会員制ソーシャル・ネットワーク・サービスにおける画像配信システムであって、画像を前記第１の画像表示装置または他の画像表示装置から当該サービスサイトのサーバーにアップロードさせるアップロード手段と、前記アップロードされた画像を前記サーバー上で画像処理する画像処理手段と、前記画像処理された処理画像を第三者が閲覧可能にサーバー上で公開する公開手段と、前記公開された処理画像に価値情報を与える価値付加手段と、前記付加された価値情報が所定条件以上の処理画像を抽出する抽出手段と、前記抽出手段により抽出された画像処理された画像を該サーバー内の抽出エリアに転送する第１の転送手段と、前記第抽出エリアに転送された画像処理された画像を、所定のタイミングで前記第２の画像表示装置に送信するとともに、該サーバー内の送信エリアに転送する第２の転送手段と、を具備したことを特徴とするソーシャル・ネットワーク・サービスにおける画像配信システムを提供するものである。
【手続補正６】
【補正対象書類名】明細書
【補正対象項目名】００１２
【補正方法】変更
【補正の内容】
【００１２】
請求項５記載の発明は、前記所定のタイミングは、前記価値情報付加手段により与えられた価値が変動したタイミングであることを特徴とする請求項４記載の画像配信システムを提供するものである。
【手続補正７】
【補正対象書類名】明細書
【補正対象項目名】００１３
【補正方法】変更
【補正の内容】
【００１３】
請求項６記載の発明は、前記抽出手段は、前記第１の画像表示装置からアップロードされた画像を抽出することを特徴とする請求項４記載の画像配信システムを提供するものである。
【手続補正８】
【補正対象書類名】明細書
【補正対象項目名】００１４
【補正方法】変更
【補正の内容】
【００１４】
請求項７記載の発明は、ネットワークを介して第１の画像表示装置及び第２の画像表示装置と接続される画像配信システムにおける画像配信サーバーが有するコンピュータを、前記第１の画像表示装置から受信した複数の画像を保存する第１の記憶手段と、前記第１の記憶手段に保存されている画像を画像処理する画像処理手段と、前記画像処理手段により画像処理された画像を複数記憶する第２の記憶手段と、前記第２の記憶手段に記憶された画像処理された画像の中から所定の条件を満たす画像を抽出する抽出手段と、前記抽出手段により抽出された画像処理された画像を該サーバー内の抽出エリアに転送する第１の転送手段と、前記抽出エリアに転送された画像処理された画像を、所定のタイミングで前記第２の画像表示装置に送信するとともに、該サーバー内の送信エリアに転送する第２の転送手段と、して機能させることを特徴とするプログラムを提供するものである。
請求項８記載の発明は、ネットワークを介して第１の画像表示装置及び第２の画像表示装置と接続される会員制ソーシャル・ネットワーク・サービスのコンピュータを、画像を前記第１の画像表示装置または他の画像表示装置から当該サービスサイトのサーバーにアップロードさせるアップロード手段と、前記アップロードされた画像を前記サーバー上で画像処理する画像処理手段と、前記画像処理された処理画像を第三者が閲覧可能にサーバー上で公開する公開手段と、前記公開された処理画像に価値情報を与える価値付加手段と、前記付加された価値情報が所定条件以上の処理画像を抽出する抽出手段と、前記抽出手段により抽出された画像処理された画像を該サーバー内の抽出エリアに転送する第１の転送手段と、前記第抽出エリアに転送された画像処理された画像を、所定のタイミングで前記第２の画像表示装置に送信するとともに、該サーバー内の送信エリアに転送する第２の転送手段と、して機能させることを特徴とするプログラムを提供するものである。
【手続補正９】
【補正対象書類名】明細書
【補正対象項目名】００１５
【補正方法】変更
【補正の内容】
【００１５】
請求項９記載の発明は、ネットワークを介して第１の画像表示装置及び第２の画像表示装置と接続される画像配信システムにおける画像配信サーバーが有するコンピュータが、前記第１の画像表示装置から受信した複数の画像を第１の記憶エリアに保存する第１の記憶工程と、前記第１の記憶エリアに保存されている画像を画像処理する画像処理工程と、前記画像処理工程により画像処理された画像を第２の記憶エリアに複数記憶する第２の記憶工程と、前記第２のエリアに記憶された画像処理された画像の中から所定の条件を満たす画像を抽出する抽出工程と、前記抽出工程により抽出された画像を該サーバー内の抽出エリアに転送する第１の転送工程と、前記抽出エリアに転送された画像を、所定のタイミングで前記第２の画像表示装置に送信するとともに、該サーバー内の送信エリアに転送する第２の転送工程と、を実行することを特徴とする画像配信方法を提供するものである。
【手続補正１０】
【補正対象書類名】明細書
【補正対象項目名】００５２
【補正方法】変更
【補正の内容】
【００５２】
Ｂ：共通エリア：
会員が投稿した絵画変換作品１０６、オブジェクト作品１０７、背景画像作品１０８、合成画像作品１０９が記録される。多数の作品が投稿され記録されるが、それぞれの作品ごとに画像ＩＤが付加されて識別されるとともに、ポイント、アクセス数が記録される。ポイントは、アクセス数、ダウンロード数、他の会員の評価等により加算されていく。
【手続補正１１】
【補正対象書類名】明細書
【補正対象項目名】００５５
【補正方法】変更
【補正の内容】
【００５５】
合成画像作品１０９は前記背景画像作品１０８とオブジェクト作品１０７を合成して出来上がった合成画像の作品である。
【手続補正１２】
【補正対象書類名】明細書
【補正対象項目名】００５６
【補正方法】変更
【補正の内容】
【００５６】
Ｃ：プログラムエリア：
切り抜き処理部１１２、合成処理部１１３、絵画変換処理部１１４、パラメータテーブル１１５、タグ処理部１１６が設けられている。また、制御部Ｄは、ＣＰＵ１１７やバッファメモリ１１８を備えている。前記各処理部１１２、１１３、１１４、１１６には、プログラムが格納され、これらプログラムに基づき、バッファメモリ１１８をワークエリアとして用いて、ＣＰＵ１１７が動作することにより、各処理部の内容「切り抜き」「合成」「絵画変換」等の処理が実行される。
【手続補正１３】
【補正対象書類名】明細書
【補正対象項目名】００８２
【補正方法】変更
【補正の内容】
【００８２】
本実施形態によれば、サーバー上の作品の中から、送りたい相手に適した作品を自動抽出して自動配信することができる。
また、サーバー上で画像処理した作品の中から、送りたい相手に適した作品を自動抽出して自動配信することができる。
また、また、サーバー上で画像処理した作品の中から、送りたい相手に適した作品を自動抽出して自動配信することができるので、抽出作業が不要になり、簡単に画像配信できる効果を奏する。
【手続補正１４】
【補正対象書類名】明細書
【補正対象項目名】００８３
【補正方法】削除
【補正の内容】
【手続補正１５】
【補正対象書類名】明細書
【補正対象項目名】００８４
【補正方法】削除
【補正の内容】
【手続補正１６】
【補正対象書類名】明細書
【補正対象項目名】００８５
【補正方法】削除
【補正の内容】
【手続補正１７】
【補正対象書類名】明細書
【補正対象項目名】００８６
【補正方法】削除
【補正の内容】
【手続補正１８】
【補正対象書類名】明細書
【補正対象項目名】００８７
【補正方法】削除
【補正の内容】
【手続補正１９】
【補正対象書類名】明細書
【補正対象項目名】００８８
【補正方法】削除
【補正の内容】
【手続補正２０】
【補正対象書類名】明細書
【補正対象項目名】００８９
【補正方法】削除
【補正の内容】
【手続補正２１】
【補正対象書類名】明細書
【補正対象項目名】００９０
【補正方法】削除
【補正の内容】
【手続補正２２】
【補正対象書類名】明細書
【補正対象項目名】００９１
【補正方法】変更
【補正の内容】
【００９１】
１    画像表示装置
２    本体
３    液晶表示パネル
５    タッチパネル
８    撮像素子
１１    ＣＰＵ
１２    ＲＯＭ
１３    ＲＡＭ
１４    内部メモリ
１６    表示制御部
１７    キー入力制御部
１８    メモリカードインターフェース
１９    撮像制御部
２０    ＧＰＳ制御部
３０    通信制御部
３１    電話回線
３２    無線ＬＡＮ
３３    アドレス帳
４０    センサ
６０    メモリカード
７０    電源制御部
７１    主電源
７２    待機電源
８１    電源プラグ
１００    顔認識エンジン
１０１    ユーザーＩＤ
１０２    ポイント
１０３    アップロード画像エリア
１０４    作品バッファ
１０５      ダウンロード画像エリア
１０６    絵画変換作品
１０７    オブジェクト作品
１０８    背景画像作品
１０９    合成画像作品
１１０    素材バンク
１１１      タグ記憶部
１１２    切抜き処理部
１１３    合成処理部
１１４    絵画変換処理部
１１５    パラメータテーブル
１１６    タグ処理部
１１７    ＣＰＵ
１１８    バッファメモリ
１１９    抽出エリア
１２０    送信エリア
３００    反応ログメモリ
４００    環境情報エンジン
４５０    処理エンジン
５００    インターネット
５２０    ネットワークサービスサイト
５２１    認証サーバー
５２２    メールサーバー
５２３    課金サーバー
５２４    コンテンツサーバー
５２５    絵画変換サーバー
５２６    環境情報サーバー
５３０    画像サービスサイト
Ａ    会員エリア
Ｂ    共通エリア
Ｃ    プログラムエリア
Ｄ    制御部
【手続補正２３】
【補正対象書類名】特許請求の範囲
【補正対象項目名】全文
【補正方法】変更
【補正の内容】
【特許請求の範囲】
【請求項１】
ネットワークを介して第１の画像表示装置及び第２の画像表示装置と接続される画像配信システムにおける画像配信サーバーにおいて、
前記第１の画像表示装置から受信した複数の画像を保存する第１の記憶エリアと、
前記第１の記憶エリアに保存されている画像を画像処理する画像処理手段と、
前記画像処理手段により画像処理された画像を複数記憶する第２の記憶エリアと、
前記第２の記憶エリアに記憶された画像処理された画像の中から所定の条件を満たす画像を抽出する抽出手段と、
前記抽出手段により抽出された画像処理された画像を該サーバー内の抽出エリアに転送する第１の転送手段と、
前記第抽出エリアに転送された画像処理された画像を、所定のタイミングで前記第２の画像表示装置に送信するとともに、該サーバー内の送信エリアに転送する第２の転送手段と、
を具備することを特徴とする画像配信サーバー。
【請求項２】
前記送信エリアには、前記第２の画像表示装置に送信した画像が蓄積されていくことを特徴とする請求項１記載の画像配信サーバー。
【請求項３】
前記所定のタイミングは、１日１回であることを特徴とする請求項１記載の画像配信サーバー。
【請求項４】
ネットワークを介して第１の画像表示装置及び第２の画像表示装置と接続される会員制ソーシャル・ネットワーク・サービスにおける画像配信システムであって、
画像を前記第１の画像表示装置または他の画像表示装置から当該サービスサイトのサーバーにアップロードさせるアップロード手段と、
前記アップロードされた画像を前記サーバー上で画像処理する画像処理手段と、
前記画像処理された処理画像を第三者が閲覧可能にサーバー上で公開する公開手段と、
前記公開された処理画像に価値情報を与える価値付加手段と、
前記付加された価値情報が所定条件以上の処理画像を抽出する抽出手段と、
前記抽出手段により抽出された画像処理された画像を該サーバー内の抽出エリアに転送する第１の転送手段と、
前記第抽出エリアに転送された画像処理された画像を、所定のタイミングで前記第２の画像表示装置に送信するとともに、該サーバー内の送信エリアに転送する第２の転送手段と、
を具備することを特徴とする
を具備したことを特徴とするソーシャル・ネットワーク・サービスにおける画像配信システム。
【請求項５】
前記所定のタイミングは、前記価値情報付加手段により与えられた価値が変動したタイミングであることを特徴とする請求項４記載の画像配信システム。
【請求項６】
前記抽出手段は、前記第１の画像表示装置からアップロードされた画像を抽出することを特徴とする請求項４記載の画像配信システム。
【請求項７】
ネットワークを介して第1の画像表示装置及び第２の画像表示装置と接続される画像配信システムにおける画像配信サーバーが有するコンピュータを、
前記第１の画像表示装置から受信した複数の画像を保存する第１の記憶手段と、
前記第１の記憶手段に保存されている画像を画像処理する画像処理手段と、
前記画像処理手段により画像処理された画像を複数記憶する第２の記憶手段と、
前記第２の記憶手段に記憶された画像処理された画像の中から所定の条件を満たす画像を抽出する抽出手段と、
前記抽出手段により抽出された画像処理された画像を該サーバー内の抽出エリアに転送する第１の転送手段と、
前記抽出エリアに転送された画像処理された画像を、所定のタイミングで前記第２の画像表示装置に送信するとともに、該サーバー内の送信エリアに転送する第２の転送手段と、
して機能させることを特徴とするプログラム。
【請求項８】
ネットワークを介して少なくとも第１の画像表示装置及び第２の画像表示装置と接続される会員制ソーシャル・ネットワーク・サービスのコンピュータを、
画像を前記第１の画像表示装置または他の画像表示装置から当該サービスサイトのサーバーにアップロードさせるアップロード手段と、
前記アップロードされた画像を前記サーバー上で画像処理する画像処理手段と、
前記画像処理された処理画像を第三者が閲覧可能にサーバー上で公開する公開手段と、
前記公開された処理画像に価値情報を与える価値付加手段と、
前記付加された価値情報が所定条件以上の処理画像を抽出する抽出手段と、
前記抽出手段により抽出された画像処理された画像を該サーバー内の抽出エリアに転送する第１の転送手段と、
前記第抽出エリアに転送された画像処理された画像を、所定のタイミングで前記第２の画像表示装置に送信するとともに、該サーバー内の送信エリアに転送する第２の転送手段と、
して機能させることを特徴とするプログラム。
【請求項９】
ネットワークを介して第１の画像表示装置及び第２の画像表示装置と接続される画像配信システムにおける画像配信サーバーが有するコンピュータが、
前記第１の画像表示装置から受信した複数の画像を第１の記憶エリアに保存する第１の記憶工程と、
前記第１の記憶エリアに保存されている画像を画像処理する画像処理工程と、
前記画像処理工程により画像処理された画像を第２の記憶エリアに複数記憶する第２の記憶工程と、
前記第２のエリアに記憶された画像処理された画像の中から所定の条件を満たす画像を抽出する抽出工程と、
前記抽出工程により抽出された画像を該サーバー内の抽出エリアに転送する第１の転送工程と、
前記抽出エリアに転送された画像を、所定のタイミングで前記第２の画像表示装置に送信するとともに、該サーバー内の送信エリアに転送する第２の転送工程と、
を実行することを特徴とする画像配信方法。